(57)【要約】【課題】この発明は、壁パネルの板厚に影響されず、壁パネルを簡易に据え付けできるエレベータのかご室を得る。【解決手段】連結用貫通穴１５が、壁パネル１０の一方の側面部１３ａに上下方向に離間して形成されている。板バネクリップ２０は、一の壁パネル１０の他方の側面部１３ｂに固定され、他の壁パネル１０の一方の側面部１３ａに形成された連結用貫通穴１３ａ内に挿入される固定部２１と、固定部２１から下方に延設されて他の壁パネル１０の主面部１１の裏面側に延在し、他の壁パネル１０の一方の側面部１３ａの連結用貫通穴１５の下部領域を一の壁パネル１０の他方の側面部１３ｂに押圧する押圧部２３と、を有する。連結用貫通穴１５は、一の壁パネル１０を上方に移動させて板バネクリップ２０の下端が連結用貫通穴１５の下端縁部より高くなったときに、板バネクリップ２０を挿出可能な穴形状に形成されている。【選択図】図６
2013249178.tif 000002
【特許請求の範囲】
【請求項１】
矩形平板状の主面部、および上記主面部の幅方向両側から直角に曲げられて裏面側に延出する一対の側面部を有する複数の壁パネルが、上記主面部の表面を内側に向けて連結部材により相互に連結され、かご床に立設される側壁を構成するエレベータのかご室において、
貫通穴が、上記壁パネルの一方の側面部に上下方向に離間して複数形成されており、
上記連結部材は、隣り合う上記壁パネルの一の壁パネルの他方の側面部に固定され、他の壁パネルの上記一方の側面部に形成された上記貫通穴内に挿入される固定部と、上記固定部から下方に延設されて上記他の壁パネルの主面部の裏面側に延在し、上記他の壁パネルの一方の側面部の上記貫通穴の下部領域を上記一の壁パネルの他方の側面部に押圧する押圧部と、を有する板バネクリップであり、
上記貫通穴は、上記一の壁パネルを上方に移動させて上記板バネクリップの下端が該貫通穴の下端縁部より高くなったときに、上記板バネクリップを挿出可能な穴形状に形成されていることを特徴とするエレベータのかご室。
【請求項２】
上記板バネクリップは、上記一の壁パネルの他方の側面部側を裏面側に押圧したときに、上記他の壁パネルの一方の側面部に形成された上記貫通穴の裏面側の内壁面に当接し、上記一の壁パネルおよび上記他の壁パネルの主面部間の段差の発生を抑制するように構成されていることを特徴とする請求項１記載のエレベータのかご室。
【請求項３】
位置決め用貫通穴が上記一の壁パネルの他方の側面部の上記固定部の取付位置の上部に形成され、
上記板バネクリップは、上記位置決め用貫通穴を挿通して上記一の壁パネルの主面部の裏面側に延在するように上記固定部から上方に延設され、上記位置決め用貫通穴の下端縁部に接して上記板バネクリップの上下方向の位置決めを行う位置決め部を備えていることを特徴とする請求項１又は請求項２記載のエレベータのかご室。
【請求項４】
上記連結部材が金属製であり、
上記押圧部の上記他の壁パネルの一方の側面部と接触する部位、又は上記他の壁パネルの一方の側面部の上記押圧部と接触する部位が、樹脂部材で被覆されていることを特徴とする請求項１乃至請求項３のいずれか１項に記載のエレベータのかご室。
【発明の詳細な説明】
【技術分野】
【０００１】
この発明は、エレベータのかご室に関し、特にかご室の隣り合う壁パネルの連結構造に関するものである。
【背景技術】
【０００２】
従来のエレベータのかご室の壁パネルは、両端がかご室の外側に折り曲げられた折曲部と、この両端の折曲部に交互に、かつ等間隔に設けられた係合孔および係合突起部材と、を備え、一端側の折曲部の係合孔および係合突起部材の位置と、一端側の折曲部の係合孔および係合突起部材の位置と、を互い違いにし、一つの壁パネルの一端側の係合孔および係合突起部材と、別の壁パネルの係合突起部材および係合孔と、を相互に係合可能としていた（例えば、特許文献１参照）。
【０００３】
また、別のエレベータのかご室の壁パネルは、かご室内側壁面を構成する主面部、主面部の両端部で外側方向に折り曲げられた連結部、および連結部の外側端部で主面部の中心方向に折り曲げられた折り返し片を有し、隣接する一方の壁パネルの折り返し片および他方の壁パネルの折り返し片のそれぞれに挿通孔が設けられている。そして、一方の壁パネルの折り返し片に固定される固定部と、固定部から挿通孔に挿通されて主面部側に延設され、隣接する壁パネルの連結部を挟み込むように押圧する２つの押圧部と、２つの押圧部から主面部側に延在し、隣接する壁パネルの主面部の裏面にそれぞれ当接する２つの当接部を有するクリップ部材を用いて、壁パネルを連結していた（例えば、特許文献２参照）。
【先行技術文献】
【特許文献】
【０００４】
【特許文献１】特許第３６５２４０４号公報
【特許文献２】特開２００８−１２０４７０号公報
【発明の概要】
【発明が解決しようとする課題】
【０００５】
特許文献１に記載の従来のエレベータのかご室の壁パネルでは、係合孔は、上下方向に離れた２つの挿通孔部と、２つの挿通孔部を連通する、挿通孔部の径より小さい幅のスリット部とを有し、係合突起部材は、折曲部に固定される後半部分と、スリット部の幅より小さい顎部分、およびこの顎部分に隣接し、挿通孔部の径より小さく、スリット部の幅より大きいテーパ部分からなる前半部分とを有している。そして、係合突起部材の前半部分を係合孔の挿通孔部に挿通させ、一方の壁パネルの折曲部を他方の壁パネルの折曲部に合わせながら下方に摺動させて、係合突起部材の前半部分の顎部分を係合孔のスリット部に位置させ、隣接する壁パネル同士を連結していた。そこで、特許文献１に記載の従来のエレベータのかご室の壁パネルでは、係合突起部材の顎部分の長さを壁パネルの板厚に一致させる必要があり、様々な板厚の壁パネルに対応できないという問題があった。
【０００６】
特許文献２に記載の従来のエレベータのかご室の壁パネルでは、クリップ部材が取り付けられた壁パネルの連結部に他方の壁パネルの連結部を合わせながら、当接部が主面部の裏面に当接するまでかご室の外側に押し出して、連結部を２つの押圧部間に差し込み、隣接する壁パネル同士を連結していた。そこで、クリップ部材が固定された壁パネルを昇降路側に倒れないように保持しておく必要があり、壁パネルの据え付け作業性が煩雑となるという問題があった。
【０００７】
この発明は、このような課題を解決するためになされたものであって、壁パネルの板厚に影響されず、壁パネルを簡易に据え付けできるエレベータのかご室を得ることを目的とする。
【課題を解決するための手段】
【０００８】
この発明によるエレベータのかご室は、矩形平板状の主面部、および上記主面部の幅方向両側から直角に曲げられて裏面側に延出する一対の側面部を有する複数の壁パネルが、上記主面部の表面を内側に向けて連結部材により相互に連結され、かご床に立設される側壁を構成するエレベータのかご室において、貫通穴が、上記壁パネルの一方の側面部に上下方向に離間して複数形成されており、上記連結部材は、隣り合う上記壁パネルの一の壁パネルの他方の側面部に固定され、他の壁パネルの上記一方の側面部に形成された上記貫通穴内に挿入される固定部と、上記固定部から下方に延設されて上記他の壁パネルの主面部の裏面側に延在し、上記他の壁パネルの一方の側面部の上記貫通穴の下部領域を上記一の壁パネルの他方の側面部に押圧する押圧部と、を有する板バネクリップであり、上記貫通穴は、上記一の壁パネルを上方に移動させて上記板バネクリップの下端が該貫通穴の下端縁部より高くなったときに、上記板バネクリップを挿出可能な穴形状に形成されている。
【発明の効果】
【０００９】
この発明によれば、板バネクリップの下端が貫通穴の下端縁部より高くなるように一の壁パネルを浮かせて、板バネクリップを貫通穴に挿通させ、その後、一の壁パネルを下方にずらすことで、押圧部が、他の壁パネルの一方の側面部の貫通穴の下部領域を一の壁パネルの他方の側面部に押圧し、一の壁パネルが他の壁パネルに連結される。
【００１０】
そこで、壁パネルの板厚に合わせて板バネクリップを作製する必要がなく、部品点数が削減される。また、板バネクリップを他の壁パネルの一方の側面部に形成された貫通穴に挿入して一の壁パネルを下方にスライドさせることで、一の壁パネルを他の壁パネルに連結できるので、一の壁パネルの下方への押圧力は他の壁パネルを昇降路側に倒れさせるように作用せず、かつ壁パネル同士の連結が簡易となり、壁パネルの据え付け作業性が高められる。
【図面の簡単な説明】
【００１１】
【図１】この発明の実施の形態１に係るエレベータのかご室における壁パネルの構成を説明する斜視図である。
【図２】この発明の実施の形態１に係るエレベータのかご室における壁パネルの連結に用いられる板バネクリップを示す斜視図である。
【図３】この発明の実施の形態１に係るエレベータのかご室における壁パネルの取り付け方法を説明する斜視図である。
【図４】この発明の実施の形態１に係るエレベータのかご室における壁パネルと架台との取り付け状態を示す要部断面図である。
【図５】この発明の実施の形態１に係るエレベータのかご室における壁パネルの取り付け方法を説明する要部断面図である。
【図６】この発明の実施の形態１に係るエレベータのかご室における壁パネルの取り付け状態を示す要部斜視図である。
【図７】この発明の実施の形態２に係るエレベータのかご室における壁パネルの取り付け状態を示す要部断面図である。
【発明を実施するための形態】
【００１２】
以下、本発明のエレベータのかご室の好適な実施の形態につき図面を用いて説明する。
【００１３】
実施の形態１．
図１はこの発明の実施の形態１に係るエレベータのかご室における壁パネルの構成を説明する斜視図、図２はこの発明の実施の形態１に係るエレベータのかご室における壁パネルの連結に用いられる板バネクリップを示す斜視図、図３はこの発明の実施の形態１に係るエレベータのかご室における壁パネルの取り付け方法を説明する斜視図、図４はこの発明の実施の形態１に係るエレベータのかご室における壁パネルと架台との取り付け状態を示す要部断面図、図５はこの発明の実施の形態１に係るエレベータのかご室における壁パネルの取り付け方法を説明する要部断面図、図６はこの発明の実施の形態１に係るエレベータのかご室における壁パネルの取り付け状態を示す要部斜視図である。
【００１４】
図１において、壁パネル１０は、矩形平板状の鋼板の幅方向両側を裏面側にコ字状に折り曲げて作製され、かご室１の内側壁面を構成する主面部１１と、主面部１１の幅方向両側に形成された折曲部１２と、を有する。折曲部１２は、主面部１１の幅方向両側から裏面側に直角に延出する側面部１３ａ，１３ｂと、側面部１３ａ，１３ｂの延出端から主面部１１の中央側に直角に延出する折り返し片１４と、からなる。
【００１５】
矩形の連結用貫通穴１５が、一方の側面部１３ａの上部、中部、下部の３箇所に形成され、矩形の位置決め用貫通穴１６が、他方の側面部１３ｂの上部、中部、下部の３箇所に形成されている。なお、図４に示されるように、固定用のＬ字アングル１７が主面部１１の裏面下端に固着され、ナット１８がＬ字アングル１７の起立片に固着されている。
【００１６】
連結部材としての板バネクリップ２０は、図２に示されるように、矩形平板状のバネ鋼板に塑性変形の曲げ加工を施して作製され、矩形平板状の固定部２１と、固定部２１の一端に連設された略コ字状の位置決め部２２と、固定部２１の他端に連設された略への字状の押圧部２３と、を有する。
【００１７】
板バネクリップ２０は、図５の（ａ）に示されるように、位置決め部２２を位置決め用貫通穴１６から主面部１１の裏面側に延出させ、位置決め部２２の位置決め用貫通穴１６の挿通部を位置決め用貫通穴１６の下端縁部に当接させて、上下方向の位置決めが行われ、リベット２５により固定部２１を他方の側面部１３ｂに固定して、壁パネル１０に取り付けられる。このとき、押圧部２３は、先端側が他方の側面部１３ｂに当接し、他方の側面部１３ｂを裏面側に押圧している。また、押圧部２３の先端が他方の側面部１３ｂから離反するように折り返され、ガイド部２４を構成している。
【００１８】
ここで、連結用および位置決め用貫通穴１５，１６と板バネクリップ２０との関係について説明する。
連結用貫通穴１５は、板バネクリップ２０より大形の矩形形状を有し、その長さ方向を上下方向として一方の側面部１３ａに形成されている。位置決め用貫通穴１６は、位置決め部２２が挿通可能な矩形形状を有し、その下端縁部に位置決め部２２の挿通部を当接させた時に、連結用貫通穴１５の下端縁部が板バネクリップ２０の押圧部２３の先端より高く、かつ固定部２１より低くなるように他方の側面部１３ｂに形成されている。
【００１９】
つぎに、壁パネル１０の組み立て方法について説明する。
まず、断面コ字状の架台３が、かご室１のかご床２の上面に、断面コ字状の開口をかご室１の内側に向けて、出入り口を除く三方の縁部に沿って取り付けられる。ついで、１枚目の壁パネル１０が、主面部１１をかご室１の内側に向けて、架台３に載せられる。そして、図４に示されるように、ボルト１９をナット１８に締着し、１枚目の壁パネル１０が架台３に固定される。
【００２０】
ついで、図３に示されるように、２枚目の壁パネル１０を架台３から浮かせた状態で、他方の側面部１３ｂを１枚目の壁パネル１０の一方の側面部１３ａに向けて、配置させる。ここで、２枚目の壁パネル１０は、図５の（ａ）に示されるように、板バネクリップ２０が１枚目の壁パネル１０の一方の側面部１３ａに形成された連結用貫通穴１５に挿通可能な高さ位置となっている。
【００２１】
ついで、図５の（ａ）において、２枚目の壁パネル１０を矢印の方向に移動させる。これにより、図５の（ｂ）に示されるように、２枚目の壁パネル１０の他方の側面部１３ｂが、１枚目の壁パネル１０の一方の側面部１３ａに接し、板バネクリップ２０が、１枚目の壁パネル１０の一方の側面部１３ａに形成された連結用貫通穴１５を通って、主面部１１の裏面側に延出する。
【００２２】
ついで、図５の（ｂ）において、２枚目の壁パネル１０の他方の側面部１３ｂを１枚目の壁パネル１０の一方の側面部１３ａに合わせて、２枚目の壁パネル１０を矢印の方向、すなわち下方に摺動させる。この２枚目の壁パネル１０の下方の摺動により、まず、ガイド部２４が連結用貫通穴１５の下端縁部に当たり、ついで、押圧部２３が弾性変形しつつ開脚する。そして、２枚目の壁パネル１０の下端が架台３に当接すると、１枚目の壁パネル１０の一方の側面部１３ａの連結用貫通穴１５の下部側が、図５の（ｃ）に示されるように、押圧部２３の復元力により、押圧部２３と２枚目の壁パネル１０の他方の側面部１３ｂとの間に加圧挟持される。これにより、図６に示されるように、２枚目の壁パネル１０が１枚目の壁パネル１０に連結される。
【００２３】
２枚目の壁パネル１０の主面部１１と１枚目の壁パネル１０の主面部１１とがほぼ面一となる。その後、ボルト１９をナット１８に締着し、２枚目の壁パネル１０が架台３に固定される。必要に応じて、３枚目、４枚目・・・の壁パネル１０を同様にして組み付け、かご床２の一辺縁部に所定枚数の壁パネル１０を取り付ける。
【００２４】
同様にして、かご床２の二辺縁部のそれぞれに所定枚数の壁パネル１０を取り付け、かご床２の上面の三方に側壁を立設する。ついで、図示していないが、側壁の上部を塞口するように天井を取り付け、袖壁をかご床２の残る一辺に立設し、袖壁の上部に天板を取り付けて出入り口を構成して、かご室１が組み立てられる。
【００２５】
この実施の形態１によれば、連結用貫通穴１５が、壁パネル１０の一方の側面部１３ａに上下方向に離間して形成されている。板バネクリップ２０が、壁パネル１０の他方の側面部１３ｂの外面に上下方向に離間して、連結用貫通穴１５のそれぞれに対応するように取り付けられている。板バネクリップ２０のそれぞれは、隣り合う壁パネル１０の一方の壁パネル１０の他方の側面部１３ｂに固定され、他方の壁パネル１０の一方の側面部１３ａに形成された連結用貫通穴１５内に挿入される固定部２１と、固定部２１から下方に延設されて他方の壁パネル１０の主面部１１の裏面側に延在し、他方の壁パネル１０の一方の側面部１３ａの連結用貫通穴１５の下部領域を一方の壁パネル１０の他方の側面部１３ｂに押圧する押圧部２３と、を有している。さらに、連結用貫通穴１５は、一方の壁パネル１０を上方に移動させて板バネクリップ２０の下端が連結用貫通穴１５の下端縁部より高くなったときに、板バネクリップ２０を挿出可能な穴形状に形成されている。
【００２６】
そこで、板バネクリップ２０を他方の壁パネル１０の一方の側面部１３ａに形成された連結用貫通穴１５に挿入した後、一方の壁パネル１０の他方の側面部１３ｂを他方の壁パネル１０の一方の側面部１３ａに合わせて下方にスライドさせることで、両壁パネル１０を連結できる。また、板バネクリップ２０の下端が連結用貫通穴１５の下端縁部より高くなるまで一方の壁パネル１０の他方の側面部１３ｂを他方の壁パネル１０の一方の側面部１３ａに合わせて上方にスライドさせた後、一方の壁パネル１０を他方の壁パネル１０から引き離すことで、両壁パネル１０の連結を解除できる。
【００２７】
このように、壁パネル１０の連結／連結解除が簡易となり、据え付け作業性が高められる。また、事前の仮組みでの板バネクリップ２０の着脱作業が不要となる。
板バネクリップ２０を用いて壁パネル１０同士を連結しているので、工具が不要となり、かご室１内からの作業となり、据え付け作業性が高められる。
板バネクリップ２０を用いているので、壁パネル１０の板厚に拘らず壁パネル１０同士を連結できる。そこで、壁パネル１０の板厚に応じて板バネクリップ２０を作製する必要がなく、部品点数が削減されるとともに、低コスト化が図られる。
【００２８】
板バネクリップ２０は、かご室１内から一方の壁パネル１０の他方の側面部１３ｂ側を裏面側に押圧したときに、他方の壁パネル１０の一方の側面部１３ａに形成された貫通穴１５の裏面側の内壁面に当接するように構成されている。そこで、乗客がかご室１内から壁パネル１０の他方の側面部１３ｂ側を昇降路側に押しても、板バネクリップ２０が貫通穴１５の裏面側の内壁面に当接し、壁パネル１０の他方の側面部１３ｂ側の昇降路側への移動が阻止される。これにより、乗客の悪戯による隣り合う主面部１１間の段差の発生が抑制される。
【００２９】
位置決め用貫通穴１６が壁パネル１０の他方の側面部１３ｂの固定部２１の取付位置の上部に形成され、板バネクリップ２０は、位置決め用貫通穴１６を挿通して壁パネル１０の主面部１１の裏面側に延在するように固定部２１から上方に延設され、位置決め用貫通穴１６の下端縁部に接して板バネクリップ２０の上下方向の位置決めを行う位置決め部２２を備えている。したがって、板バネクリップ２０の取り付け作業性が向上する。
【００３０】
板バネクリップ２０は、押圧部２３の下端から他方の側面部１３ｂから離れるように延設されたガイド部２４を備えているので、一方の側面部１３ａの連結用貫通穴１５の下部領域を押圧部２３と他方の側面部１３ｂとの間にスムーズに挟み込むことができ、壁パネル１０の連結が容易となる。
【００３１】
実施の形態２．
図７はこの発明の実施の形態２に係るエレベータのかご室における壁パネルの取り付け状態を示す要部断面図である。
【００３２】
図７において、樹脂部材としての樹脂製チューブ２６が板バネクリップ２０のガイド部２４から押圧部２３に至るように装着されている。
なお、他の構成は、上記実施の形態１と同様に構成されている。
【００３３】
実施の形態２では、樹脂製チューブ２６がガイド部２４から押圧部２３に至るように装着されている。そこで、押圧部２３と一方の側面部１３ａとの金属部材同士の接触が回避され、金属部材の接触部で発生するきしみ音の発生を防止できる。また、樹脂製チューブ２６の厚みを変えることで、押圧部２３による押し付け力を調整できるので、適用可能な板厚範囲を拡大できる。
【００３４】
なお、実施の形態２では、樹脂製チューブ２６を押圧部２３およびガイド部２４に装着するものとしているが、一方の側面部１３ａの押圧部２３が接する領域に樹脂部材を被覆してもよい。
【００３５】
また、上記各実施の形態では、連結用貫通穴１５および板バネクリップ２０は、側面部１３ａ，１３ｂに上下に離間して３箇所に設けられているが、連結用貫通穴１５および板バネクリップ２０の個数は３つに限定されず、２つ、又は４つ以上でもよい。
また、上記各実施の形態では、板バネクリップ２０がバネ鋼板で作製されているものとしているが、板バネクリップの材料はバネ鋼板に限定されず、弾性部材であればよく、例えば合成樹脂でもよい。
【符号の説明】
【００３６】
１  かご室、２  かご床、１０  壁パネル、１１  主面部、１３ａ  一方の側面部、１３ｂ  他方の側面部、１５  連結用貫通穴、１６  位置決め用貫通穴、２０  板バネクリップ（連結部材）、２１  固定部、２２  位置決め部、２３  押圧部、２４  ガイド部、２６  樹脂製チューブ（樹脂部材）。
【図１】
2013249178.tif 000003
【図２】
2013249178.tif 000004
【図３】
2013249178.tif 000005
【図４】
2013249178.tif 000006
【図５】
2013249178.tif 000007
【図６】
2013249178.tif 000008
【図７】
2013249178.tif 000009